(57)【要約】【課題】効率良く記録する。【解決手段】Ｓ２２〜Ｓ２６において、ディスクのデータ領域の各ブロック群に画像データが記録されるごとに、Ｓ２１において該ブロック群に対応の管理情報のデータ領域とは異なるシステム領域への記録動作が１回行なわれる。それゆえに、画像データの記録時には、データ領域の記録がブロック群単位で集中して行なわれて、システム領域への記録はブロック群ごとに１回に抑制されるので記録時のディスクにおけるシークタイムを短くできて、効率よく記録できる。また、記録動作中に電力供給が断たれたとしても、システム領域への管理情報の記録時に電力供給が断たれる確率を低くできるから管理情報の抜けを防止しやすくなって、管理情報の抜けによる再生不可能な状態の発生を抑制できる。【選択図】        図５
2004192764.tif 000002
【特許請求の範囲】
【請求項１】
半径方向にシーク動作が行なわれる予め準備された円盤状記録媒体の中心についての同心円状の領域であって複数個のデータブロックが配されるデータ領域に対して、画像データを含むデジタルデータを記録するデータ領域記録手段と、
前記中心についての同心円状の領域であって前記データ領域とは異なるシステム領域に、１つ以上の前記データブロックからなるブロック群のそれぞれに対応した管理情報を記録するシステム領域記録手段と、
前記データ領域に配された前記複数個のデータブロックのそれぞれに対応して、前記デジタルデータの記録が可能であるか否かを示す記録可否データが登録されたテーブルとを備えて、
前記システム領域記録手段は、前記データ領域記録手段により前記ブロック群に前記デジタルデータを記録開始するときに、該ブロック群に対応の前記管理情報の記録動作を行ない、
前記管理情報は、対応の前記ブロック群を特定するデータと当該ブロック群の先頭位置の前記データブロックを指示するデータを含み、
前記データ領域記録手段は、
前記テーブルから前記記録可否データが可を示す対応の前記データブロックを検索するテーブル検索手段を有し、前記テーブル検索手段により検索された前記データブロックに前記デジタルデータを記録し、
前記データブロックは固定長であって、前記データブロックに記録される前記デジタルデータは前記画像データと該画像データを検索する可変長の検索データとを含み、
前記検索データは前記データブロックの終端の方向から記録開始されて、前記画像データは前記データブロックの先頭の方向から記録開始されることを特徴とする、記録装置。
【請求項２】
半径方向にシーク動作が行なわれる予め準備された円盤状記録媒体の中心についての同心円状の領域であって複数個のデータブロックが配されるデータ領域に対して、画像データを含むデジタルデータを記録するデータ領域記録手段と、
前記中心についての同心円状の領域であって前記データ領域とは異なるシステム領域に、１つ以上の前記データブロックからなるブロック群のそれぞれに対応した管理情報を記録するシステム領域記録手段とを備えて、
前記システム領域記録手段は、前記データ領域記録手段により前記ブロック群に前記デジタルデータを記録する毎に、該ブロック群に対応の前記管理情報の記録動作を１回行なうことを特徴とする、記録装置。
【請求項３】
前記１回の記録動作は、前記データ領域記録手段により前記ブロック群に前記デジタルデータを記録開始するときに行なわれることを特徴とする、請求項２に記載の記録装置。
【請求項４】
前記管理情報は、対応の前記ブロック群を特定するデータと当該ブロック群の先頭位置の前記データブロックを指示するデータを含む、請求項２または３に記載の記録装置。
【請求項５】
前記データ領域に配された前記複数個のデータブロックのそれぞれに対応して、前記デジタルデータの記録が可能であるか否かを示す記録可否データが登録されたテーブルをさらに備えて、
前記データ領域記録手段は、
前記テーブルから前記記録可否データが可を示す対応の前記データブロックを検索するテーブル検索手段を有し、前記テーブル検索手段により検索された前記データブロックに前記デジタルデータを記録することを特徴とする、請求項２から４のいずれか１項に記載の記録装置。
【請求項６】
前記データブロックは固定長であって、前記データブロックに記録される前記デジタルデータは前記画像データと該画像データを検索する可変長の検索データとを含み、
前記検索データは前記データブロックの終端の方向から記録開始されて、前記画像データは前記データブロックの先頭の方向から記録開始されることを特徴とする、請求項２から５のいずれか１項に記載の記録装置。
【請求項７】
半径方向にシーク動作が行なわれる予め準備された円盤状記録媒体の中心についての同心円状の領域であって複数個のデータブロックが配されるデータ領域から、画像データを含むデジタルデータを前記画像データを再生するために読出すデータ領域読出手段と、
前記中心についての同心円状の領域であって前記データ領域とは異なるシステム領域から、１つ以上の前記データブロックからなるブロック群のそれぞれに対応した管理情報を読出すシステム領域読出手段とを備えて、
前記システム領域読出手段は、前記データ領域読出手段により前記ブロック群から前記デジタルデータを読出す毎に、該ブロック群に対応の前記管理情報の読出動作を１回行ない、
前記管理情報は、対応の前記ブロック群を特定するデータと当該ブロック群の先頭位置の前記データブロックを指示するデータを含み、
前記１回の読出動作は、前記データ領域読出手段により前記ブロック群から前記デジタルデータを再生開始するときに行なわれることを特徴とする、再生装置。
【請求項８】
半径方向にシーク動作が行なわれる予め準備された円盤状記録媒体の中心についての同心円状の領域であって複数個のデータブロックが配されるデータ領域から、画像データを含むデジタルデータを前記画像データを再生するために読出すデータ領域読出手段と、
前記中心についての同心円状の領域であって前記データ領域とは異なるシステム領域から、１つ以上の前記データブロックからなるブロック群のそれぞれに対応した管理情報を読出すシステム領域読出手段とを備えて、
前記システム領域読出手段は、前記データ領域読出手段により前記ブロック群から前記デジタルデータを読出す毎に、該ブロック群に対応の前記管理情報の読出動作を１回行なうことを特徴とする、再生装置。
【請求項９】
前記管理情報は、対応の前記ブロック群を特定するデータと当該ブロック群の先頭位置の前記データブロックを指示するデータを含む、請求項８に記載の再生装置。
【請求項１０】
前記１回の読出動作は、前記データ領域読出手段により前記ブロック群から前記デジタルデータを再生開始するときに行なわれることを特徴とする、請求項８または９に記載の記録装置。
【請求項１１】
半径方向にシーク動作が行なわれる予め準備された円盤状記録媒体について記録動作をする記録部と、前記円盤状記録媒体について再生動作をする再生部とを備えて、
前記記録部は、
前記円盤状記録媒体の中心についての同心円状の領域であって複数個のデータブロックが配されるデータ領域に対して、画像データを含むデジタルデータを記録するデータ領域記録手段と、
前記中心についての同心円状の領域であって前記データ領域とは異なるシステム領域に、１つ以上の前記データブロックからなるブロック群のそれぞれに対応した管理情報を記録するシステム領域記録手段とを有し、
前記システム領域記録手段は、前記データ領域記録手段により前記ブロック群に前記デジタルデータを記録する毎に、該ブロック群に対応の前記管理情報の記録動作を１回行ない、
前記再生部は、
前記データ領域から、前記デジタルデータを前記画像データを再生するために読出すデータ領域読出手段と、
前記システム領域から、前記ブロック群のそれぞれに対応した前記管理情報を読出すシステム領域読出手段とを有し、
前記システム領域読出手段は、前記データ領域読出手段により前記ブロック群から前記デジタルデータを読出す毎に、該ブロック群に対応の前記管理情報の読出動作を１回行なうことを特徴とする、記録再生装置。
【請求項１２】
半径方向にシーク動作が行なわれる予め準備された円盤状記録媒体の中心についての同心円状の領域であって複数個のデータブロックが配されるデータ領域に対して、画像データを含むデジタルデータを記録するデータ領域記録ステップと、
前記中心についての同心円状の領域であって前記データ領域とは異なるシステム領域に、１つ以上の前記データブロックからなるブロック群のそれぞれに対応した管理情報を記録するシステム領域記録ステップとを備えて、
前記システム領域記録ステップは、前記データ領域記録ステップにより前記ブロック群に前記デジタルデータを記録開始するとき、該ブロック群に対応の前記管理情報の記録動作を行ない、
前記管理情報は、対応の前記ブロック群を特定するデータと当該ブロック群の先頭位置の前記データブロックを指示するデータを含み、
前記データ領域記録ステップは、
前記データ領域に配された前記複数個のデータブロックのそれぞれに対応して、前記デジタルデータの記録が可能であるか否かを示す記録可否データが登録される予め準備されたテーブルから、前記記録可否データが可を示す対応の前記データブロックを検索するテーブル検索ステップを有し、前記テーブル検索ステップにより検索された前記データブロックに前記デジタルデータを記録し、
前記データブロックは固定長であって、前記データブロックに記録される前記デジタルデータは前記画像データと該画像データを検索する可変長の検索データとを含み、
前記検索データは前記データブロックの終端の方向から記録開始されて、前記画像データは前記データブロックの先頭の方向から記録開始されることを特徴とする、記録方法。
【請求項１３】
半径方向にシーク動作行なわれる予め準備された円盤状記録媒体の中心についての同心円状の領域であって複数個のデータブロックが配されるデータ領域に対して、画像データを含むデジタルデータを記録するデータ領域記録ステップと、
前記中心についての同心円状の領域であって前記データ領域とは異なるシステム領域に、１つ以上の前記データブロックからなるブロック群のそれぞれに対応した管理情報を記録するシステム領域記録ステップとを備えて、
前記システム領域記録ステップは、前記データ領域記録ステップにより前記ブロック群に前記デジタルデータを記録する毎に、該ブロック群に対応の前記管理情報の記録動作を１回行なうことを特徴とする、記録方法。
【請求項１４】
前記１回の記録動作は、前記データ領域記録ステップにより前記ブロック群に前記デジタルデータを記録開始するときに行なわれることを特徴とする、請求項１３に記載の記録方法。
【請求項１５】
前記管理情報は、対応の前記ブロック群を特定するデータと当該ブロック群の先頭位置の前記データブロックを指示するデータを含む、請求項１３または１４に記載の記録方法。
【請求項１６】
前記データ領域に配された前記複数個のデータブロックのそれぞれに対応して、前記デジタルデータの記録が可能であるか否かを示す記録可否データが登録される予め準備されたテーブルから前記記録可否データが可を示す対応の前記データブロックを検索するテーブル検索ステップを有し、
前記データ領域記録ステップは、
前記テーブル検索ステップにより検索された前記データブロックに前記デジタルデータを記録することを特徴とする、請求項１３から１５のいずれか１項に記載の記録方法。
【請求項１７】
前記データブロックは固定長であって、前記データブロックに記録される前記デジタルデータは前記画像データと該画像データを検索する可変長の検索データとを含み、
前記検索データは前記データブロックの終端の方向から記録開始されて、前記画像データは前記データブロックの先頭の方向から記録開始されることを特徴とする、請求項１３から１６のいずれか１項に記載の記録方法。
【請求項１８】
半径方向にシーク動作が行なわれる予め準備された円盤状記録媒体の中心についての同心円状の領域であって複数個のデータブロックが配されるデータ領域から、画像データを含むデジタルデータを前記画像データを再生するために読出すデータ領域読出ステップと、
前記中心についての同心円状の領域であって前記データ領域とは異なるシステム領域から、１つ以上の前記データブロックからなるブロック群のそれぞれに対応した管理情報を読出すシステム領域読出ステップとを備えて、
前記システム領域読出ステップは、前記データ領域読出ステップにより前記ブロック群から前記デジタルデータを読出す毎に、該ブロック群に対応の前記管理情報の読出動作を１回行ない、
前記管理情報は、対応の前記ブロック群を特定するデータと当該ブロック群の先頭位置の前記データブロックを指示するデータを含み、
前記１回の読出動作は、前記データ領域読出ステップにより前記ブロック群から前記デジタルデータを再生開始するときに行なわれることを特徴とする、再生方法。
【請求項１９】
半径方向にシーク動作が行なわれる予め準備された円盤状記録媒体の中心についての同心円状の領域であって複数個のデータブロックが配されるデータ領域から、画像データを含むデジタルデータを前記画像データを再生するために読出すデータ領域読出ステップと、
前記中心についての同心円状の領域であって前記データ領域とは異なるシステム領域から、１つ以上の前記データブロックからなるブロック群のそれぞれに対応した管理情報を読出すシステム領域読出ステップとを備えて、
前記システム領域読出ステップは、前記データ領域読出ステップにより前記ブロック群から前記デジタルデータを読出す毎に、該ブロック群に対応の前記管理情報の読出動作を１回行なうことを特徴とする、再生方法。
【請求項２０】
前記管理情報は、対応の前記ブロック群を特定するデータと当該ブロック群の先頭位置の前記データブロックを指示するデータを含む、請求項１９に記載の再生方法。
【請求項２１】
前記１回の読出動作は、前記データ領域読出ステップにより前記ブロック群から前記デジタルデータを再生開始するときに行なわれることを特徴とする、請求項１９または２０に記載の再生方法。
【発明の詳細な説明】
【０００１】
【発明の属する技術分野】
この発明は映像などのデジタル情報を記録デバイスに記録するための装置および再生する装置、記録方法および再生方法ならびに記録再生装置に関し、特に、ディスク状の記録デバイスに映像などのデジタル情報を記録する装置、再生する装置、記録方法および再生方法、ならびに記録再生装置に関する。
【０００２】
【従来の技術】
従来より映像情報はディスク状の記録媒体に記録されており、記録媒体における情報の記録再生に関して、サーチ時間の高速化を図る方式がある（たとえば、特許文献１参照）。
【０００３】
また、トラックが任意の長さのレコードに分割された可変長フォーマットの構造を有してランダムアクセスを行なうのに好適な装置も提供されている（たとえば特許文献２参照）。
【０００４】
また、符号化ビットストリームを複数のクラスタ領域に分割し、管理するディスク状の記録媒体において、クラスタデータに続けて配置されるクラスタデータの位置情報を格納するクラスタヘッダを生成して、クラスタデータとともにディスク状の記録媒体に記録するものがある（たとえば特許文献３参照）。
【０００５】
【特許文献１】
特開平１−２０４２７３号公報
【０００６】
【特許文献２】
特開平６−１２７８６号公報
【０００７】
【特許文献３】
特開２００１−１２６４０号公報
【０００８】
【発明が解決しようとする課題】
最近は、記録すべき情報が大容量化する傾向にあるので、より速やかな記録／再生が望まれている。これに対して、上述した特許文献１と２では、ランダムアクセスに重点が置かれていたために、システムブロックの領域のデータ量が多く実データ以外の読み書きが多かった。このため突然の電源断によりシステムブロック情報の欠落が生じやすいので、システムブロック情報を参照した実データの再生ができなかったり、実データ以外の読出し速度により再生の速度が制限されて、再生画面では画像の変化速度に遅れが生じたりする。
【０００９】
また、特許文献３では、記録時の空き領域を検索するのに、実データであるクラスタデータのヘッダを順次アクセスしながら、空き領域を特定する必要があったので、速やかな記録が阻害されていた。
【００１０】
それゆえにこの発明の目的は速やかな記録を可能とする記録装置および方法を提供することである。
【００１１】
この発明の他の目的は速やかな再生を可能とする再生装置および方法を提供することである。
【００１２】
この発明のさらなる他の目的は速やかな記録と再生が可能な記録再生装置を提供することである。
【００１３】
【課題を解決するための手段】
この発明のある局面に従うと、記録装置は半径方向にシーク動作行なわれる予め準備された円盤状記録媒体の中心についての同心円状の領域であって複数個のデータブロックが配されるデータ領域に対して、画像データを含むデジタルデータを記録するデータ領域記録手段と、中心についての同心円状の領域であってデータ領域とは異なるシステム領域に、１つ以上のデータブロックからなるブロック群のそれぞれに対応した管理情報を記録するシステム領域記録手段と、データ領域に配された複数個のデータブロックのそれぞれに対応して、デジタルデータの記録が可能であるか否かを示す記録可否データが登録されたテーブルとを備える。
【００１４】
システム領域記録手段は、データ領域記録手段によりブロック群にデジタルデータを記録開始するときに、該ブロック群に対応の管理情報の記録動作を行ない、管理情報は、対応のブロック群を特定するデータと当該ブロック群の先頭位置のデータブロックを指示するデータを含み、データ領域記録手段は、テーブルから記録可否データが可を示す対応のデータブロックを検索するテーブル検索手段を有し、テーブル検索手段により検索されたデータブロックにデジタルデータを記録する。
【００１５】
そして、データブロックは固定長であって、データブロックに記録されるデジタルデータは画像データと該画像データを検索する可変長の検索データとを含み、検索データはデータブロックの終端の方向から記録開始されて、画像データはデータブロックの先頭の方向から記録開始される。
【００１６】
この発明の他の局面に従う記録装置は、半径方向にシーク動作が行なわれる予め準備された円盤状記録媒体の中心についての同心円状の領域であって複数個のデータブロックが配されるデータ領域に対して、画像データを含むデジタルデータを記録するデータ領域記録手段と、中心についての同心円状の領域であってデータ領域とは異なるシステム領域に、１つ以上のデータブロックからなるブロック群のそれぞれに対応した管理情報を記録するシステム領域記録手段とを備えて、システム領域記録手段は、データ領域記録手段によりブロック群にデジタルデータを記録する毎に、該ブロック群に対応の管理情報の記録動作を１回行なう。
【００１７】
したがって、データ領域記録手段によりデータ領域の各ブロック群にデジタルデータが記録されるごとに、システム領域記録手段により該ブロック群に対応の管理情報のシステム領域への記録動作が１回行なわれる。
【００１８】
それゆえに、デジタルデータの記録時には、データ領域の記録がブロック群単位で集中して行なわれて、システム領域への記録はブロック群ごとに１回に抑制されるので記録時の記録媒体におけるシークタイムを短くできて、効率よく記録できる。
【００１９】
また、記録動作中に電力供給が断たれたとしても、システム領域の管理情報の記録時に電力供給が断たれる確率を低くできる。それゆえに、電力供給断があったとしても、管理情報の抜けを防止しやすくなって、再生時においては管理情報の抜けによる再生不可能な状態の発生を抑制できる。
【００２０】
上述の１回の記録動作は好ましくは、データ領域記録手段によりブロック群にデジタルデータを記録開始するときに行なわれる。
【００２１】
したがって、データ領域のブロック群単位のデジタルデータの記録時には、各ブロック群への記録開始時に、システム領域への対応の管理情報の記録動作が１回行なわれる。言換えると、システム領域への管理情報の記録は、対応のデータブロック群へのデジタルデータの記録に先だって行なわれる。それゆえに、動作中に電力供給が断たれても、対応のデータブロック群のデータについての管理情報の抜けを確実に防止できる。その結果、その後の再生時において管理情報の抜けによる再生不可能状態の発生を確実に防止できる。
【００２２】
上述の管理情報は好ましくは、対応のブロック群を特定するデータと当該ブロック群の先頭位置のデータブロックを指示するデータを含む。
【００２３】
したがって、管理情報として記録すべき情報は多くない。それゆえに、記録動作中の突然の電力供給断が管理情報の記録時に発生する確率をより低くできる。
【００２４】
上述の記録装置は好ましくは、データ領域に配された複数個のデータブロックのそれぞれに対応して、デジタルデータの記録が可能であるか否かを示す記録可否データが登録されたテーブルをさらに備えて、データ領域記録手段は、テーブルから記録可否データが可を示す対応のデータブロックを検索するテーブル検索手段を有し、テーブル検索手段により検索されたデータブロックにデジタルデータを記録する。
【００２５】
したがって、記録時における記録可能なデータブロックの検索は、直接にデータ領域のデータブロックを順次検索して行なわれるのではなく、テーブルを検索することによりなされる。それゆえに、記録可能なデータブロックを速やかに検索できてデータの記録動作を速やかに実行できる。
【００２６】
上述の記録装置では好ましくは、データブロックは固定長であって、データブロックに記録されるデジタルデータは画像データと該画像データを検索する可変長の検索データとを含み、検索データはデータブロックの終端の方向から記録開始されて、画像データはデータブロックの先頭の方向から記録開始される。
【００２７】
したがって、固定長のデータブロックの先頭方向から画像データが記録開始されて、終端方向から該画像データを検索する可変長の検索データが記録開始される。
【００２８】
それゆえに、データブロックでは検索データの可変の長さに応じた量の画像データが記録されるから、データ領域に効率よく画像データを記録できる。
【００２９】
この発明のさらなる他の局面に従う再生装置は、半径方向にシーク動作が行なわれる予め準備された円盤状記録媒体の中心についての同心円状の領域であって複数個のデータブロックが配されるデータ領域から、画像データを含むデジタルデータを画像データを再生するために読出すデータ領域読出手段と、中心についての同心円状の領域であってデータ領域とは異なるシステム領域から、１つ以上のデータブロックからなるブロック群のそれぞれに対応した管理情報を読出すシステム領域読出手段とを備えて、システム領域読出手段は、データ領域読出手段によりブロック群からデジタルデータを読出す毎に、該ブロック群に対応の管理情報の読出動作を１回行ない、管理情報は、対応のブロック群を特定するデータと当該ブロック群の先頭位置のデータブロックを指示するデータを含み、１回の読出動作は、データ領域読出手段によりブロック群からデジタルデータを再生開始するときに行なわれる。
【００３０】
この発明のさらなる他の局面に従う再生装置は、半径方向にシーク動作が行なわれる予め準備された円盤状記録媒体の中心についての同心円状の領域であって複数個のデータブロックが配されるデータ領域から、画像データを含むデジタルデータを画像データを再生するために読出すデータ領域読出手段と、中心についての同心円状の領域であってデータ領域とは異なるシステム領域から、１つ以上のデータブロックからなるブロック群のそれぞれに対応した管理情報を読出すシステム領域読出手段とを備えて、システム領域読出手段は、データ領域読出手段によりブロック群からデジタルデータを読出す毎に、該ブロック群に対応の管理情報の読出動作を１回行なう。
【００３１】
したがって、データ領域読出手段によりデータ領域から各ブロック群のデジタルデータが読出される毎に、システム領域読出手段により該ブロック群に対応の管理情報がシステム領域から１回だけ読出される。
【００３２】
それゆえに、再生するときには、データ領域の読出がブロック群単位で集中して行なわれて、この読出しにおけるシステム領域からの読出は１回に抑制されるので、再生時の記録媒体におけるシークタイムを短くできて効率よく再生できる。
【００３３】
また再生動作中に電力供給断があったとしても、システム領域の管理情報の読出時に電力供給が断たれる確率を低くできる。それゆえに、電力供給断があったとしても管理情報の抜けを防止しやすくなって、再生時において管理情報の抜けによる再生不可能な状態の発生を抑制できる。
【００３４】
上述の管理情報は好ましくは、対応のブロック群を特定するデータと当該ブロック群の先頭位置のデータブロックを指示するデータを含む。
【００３５】
したがって、管理情報として読出すべき情報は多くない。それゆえに、再生動作中における突然の電力供給断が、管理情報の読出時に発生する確率をより低くできるので、管理情報が読出されないために再生動作が不可能な状態となるのを抑制できる。
【００３６】
上述の１回の読出動作は好ましくは、データ領域読出手段によりブロック群からデジタルデータを再生開始するときに行なわれる。
【００３７】
したがって、システム領域からの管理情報の読出は、対応のデータブロック群からのデジタルデータの読出に先だって行なわれるから、動作中に電力供給が断たれるとしても、対応のデータブロック群のデータについての管理情報の抜けを確実に防止できる。その結果、再生時に、管理情報の抜けによる再生不可能状態の発生を確実に防止できる。
【００３８】
この発明のさらなる他の局面に従う記録再生装置は、半径方向にシーク動作が行なわれる予め準備された円盤状記録媒体について記録動作をする記録部と、円盤状記録媒体について再生動作をする再生部とを備える。
【００３９】
記録部は、円盤状記録媒体の中心についての同心円状の領域であって複数個のデータブロックが配されるデータ領域に対して、画像データを含むデジタルデータを記録するデータ領域記録手段と、中心についての同心円状の領域であってデータ領域とは異なるシステム領域に、１つ以上のデータブロックからなるブロック群のそれぞれに対応した管理情報を記録するシステム領域記録手段とを有し、システム領域記録手段は、データ領域記録手段によりブロック群にデジタルデータを記録する毎に、該ブロック群に対応の管理情報の記録動作を１回行なう。
【００４０】
再生部は、データ領域から、デジタルデータの画像データを再生するために読出すデータ領域読出手段と、システム領域から、ブロック群のそれぞれに対応した管理情報を読出すシステム領域読出手段とを有し、システム領域読出手段は、データ領域読出手段によりブロック群からデジタルデータを読出す毎に、該ブロック群に対応の管理情報の読出動作を１回行なう。
【００４１】
したがって、データ領域記録手段によりデータ領域の各ブロック群にデジタルデータが記録されるごとに、システム領域記録手段により該ブロック群に対応の管理情報のシステム領域への記録動作が１回行なわれる。
【００４２】
それゆえに、デジタルデータの記録時には、データ領域の記録がブロック群単位で集中して行なわれて、システム領域への記録はブロック群ごとに１回に抑制されるので記録時の記録媒体におけるシークタイムを短くできて、効率よく記録できる。
【００４３】
また、記録動作中に電力供給が断たれたとしても、システム領域の管理情報の記録時に電力供給が断たれる確率を低くできる。それゆえに、電力供給断があったとしても、管理情報の抜けを防止しやすくなって、再生時においては管理情報の抜けによる再生不可能な状態の発生を抑制できる。
【００４４】
したがって、データ領域読出手段によりデータ領域から各ブロック群のデジタルデータが読出される毎に、システム領域読出手段により該ブロック群に対応の管理情報がシステム領域から１回だけ読出される。
【００４５】
それゆえに、再生するときには、データ領域の読出がブロック群単位で集中して行なわれて、この読出しにおけるシステム領域からの読出は１回に抑制されるので、再生時の記録媒体におけるシークタイムを短くできて効率よく再生できる。
【００４６】
また再生動作中に電力供給断があったとしても、システム領域の管理情報の読出時に電力供給が断たれる確率を低くできる。それゆえに、電力供給断があったとしても管理情報の抜けを防止しやすくなって、再生時において管理情報の抜けによる再生不可能な状態の発生を抑制できる。
【００４７】
この発明のさらな他の局面に従う記録方法は、半径方向にシーク動作が行なわれる予め準備された円盤状記録媒体の中心についての同心円状の領域であって複数個のデータブロックが配されるデータ領域に対して、画像データを含むデジタルデータを記録するデータ領域記録ステップと、中心についての同心円状の領域であって前記データ領域とは異なるシステム領域に、１つ以上の前記データブロックからなるブロック群のそれぞれに対応した管理情報を記録するシステム領域記録ステップとを備えて、システム領域記録ステップは、データ領域記録ステップによりブロック群にデジタルデータを記録開始するとき、該ブロック群に対応の管理情報の記録動作を行ない、管理情報は、対応のブロック群を特定するデータと当該ブロック群の先頭位置のデータブロックを指示するデータを含み、データ領域記録ステップは、データ領域に配された複数個のデータブロックのそれぞれに対応して、デジタルデータの記録が可能であるか否かを示す記録可否データが登録される予め準備されたテーブルから、記録可否データが可を示す対応のデータブロックを検索するテーブル検索ステップを有し、テーブル検索ステップにより検索されたデータブロックにデジタルデータを記録し、データブロックは固定長であって、データブロックに記録されるデジタルデータは画像データと該画像データを検索する可変長の検索データとを含み、検索データはデータブロックの終端の方向から記録開始されて、画像データはデータブロックの先頭の方向から記録開始される。
【００４８】
この発明のさらなる他の局面に従う記録方法は、半径方向にシーク動作行なわれる予め準備された円盤状記録媒体の中心についての同心円状の領域であって複数個のデータブロックが配されるデータ領域に対して、画像データを含むデジタルデータを記録するデータ領域記録ステップと、中心についての同心円状の領域であってデータ領域とは異なるシステム領域に、１つ以上のデータブロックからなるブロック群のそれぞれに対応した管理情報を記録するシステム領域記録ステップとを備えて、システム領域記録ステップは、データ領域記録ステップによりブロック群にデジタルデータを記録する毎に、該ブロック群に対応の管理情報の記録動作を１回行なう。
【００４９】
したがって、データ領域記録ステップによりデータ領域の各ブロック群にデジタルデータが記録されるごとに、システム領域記録ステップにより該ブロック群に対応の管理情報のシステム領域への記録動作が１回行なわれる。
【００５０】
それゆえに、デジタルデータの記録時には、データ領域の記録がブロック群単位で集中して行なわれて、システム領域への記録はブロック群ごとに１回に抑制されるので記録時の記録媒体におけるシークタイムを短くできて、効率よく記録できる。
【００５１】
また、記録動作中に電力供給が断たれたとしても、システム領域の管理情報の記録時に電力供給が断たれる確率を低くできる。それゆえに、電力供給断があったとしても、管理情報の抜けを防止しやすくなって、再生時においては管理情報の抜けによる再生不可能な状態の発生を抑制できる。
【００５２】
上述の１回の記録動作は好ましくは、データ領域記録ステップによりブロック群にデジタルデータを記録開始するときに行なわれる。
【００５３】
したがって、データ領域のブロック群単位のデジタルデータの記録時には、各ブロック群への記録開始時に、システム領域への対応の管理情報の記録動作が１回行なわれる。言換えると、システム領域への管理情報の記録は、対応のデータブロック群へのデジタルデータの記録に先だって行なわれる。それゆえに、動作中に電力供給が断たれても、対応のデータブロック群のデータについての管理情報の抜けを確実に防止できる。その結果、その後の再生時において管理情報の抜けによる再生不可能状態の発生を確実に防止できる。
【００５４】
上述の管理情報は好ましくは、対応のブロック群を特定するデータと当該ブロック群の先頭位置のデータブロックを指示するデータを含む。
【００５５】
したがって、管理情報として記録すべき情報は多くない。それゆえに、記録動作中の突然の電力供給断が管理情報の記録時に発生する確率をより低くできる。
【００５６】
上述の記録方法は好ましくは、データ領域に配された複数個のデータブロックのそれぞれに対応して、デジタルデータの記録が可能であるか否かを示す記録可否データが登録される予め準備されたテーブルから記録可否データが可を示す対応のデータブロックを検索するテーブル検索ステップを有し、データ領域記録ステップは、テーブル検索ステップにより検索されたデータブロックにデジタルデータを記録する。
【００５７】
したがって、記録時における記録可能なデータブロックの検索は、直接にデータ領域のデータブロックを順次検索して行なわれるのではなく、テーブルを検索することによりなされる。それゆえに、記録可能なデータブロックを速やかに検索できてデータの記録動作を速やかに実行できる。
【００５８】
上述の記録方法では好ましくは、データブロックは固定長であって、データブロックに記録されるデジタルデータは画像データと該画像データを検索する可変長の検索データとを含み、検索データはデータブロックの終端の方向から記録開始されて、画像データはデータブロックの先頭の方向から記録開始される。
【００５９】
したがって、固定長のデータブロックの先頭方向から画像データが記録開始されて、終端方向から該画像データを検索する可変長の検索データが記録開始される。
【００６０】
それゆえに、データブロックでは検索データの可変の長さに応じた量の画像データが記録されるから、データ領域に効率よく画像データを記録できる。
【００６１】
この発明のさらなる他の局面に従う再生方法は、半径方向にシーク動作が行なわれる予め準備された円盤状記録媒体の中心についての同心円状の領域であって複数個のデータブロックが配されるデータ領域から、画像データを含むデジタルデータを前記画像データを再生するために読出すデータ領域読出ステップと、中心についての同心円状の領域であってデータ領域とは異なるシステム領域から、１つ以上のデータブロックからなるブロック群のそれぞれに対応した管理情報を読出すシステム領域読出ステップとを備えて、システム領域読出ステップは、データ領域読出ステップによりブロック群からデジタルデータを読出す毎に、該ブロック群に対応の管理情報の読出動作を１回行ない、管理情報は、対応のブロック群を特定するデータと当該ブロック群の先頭位置のデータブロックを指示するデータを含み、１回の読出動作は、データ領域読出ステップによりブロック群からデジタルデータを再生開始するときに行なわれる。
【００６２】
この発明のさらなる他の局面に従う再生方法は、半径方向にシーク動作が行なわれる予め準備された円盤状記録媒体の中心についての同心円状の領域であって複数個のデータブロックが配されるデータ領域から、画像データを含むデジタルデータを前記画像データを再生するために読出すデータ領域読出ステップと、中心についての同心円状の領域であって前記データ領域とは異なるシステム領域から、１つ以上のデータブロックからなるブロック群のそれぞれに対応した管理情報を読出すシステム領域読出ステップとを備えて、システム領域読出ステップは、データ領域読出ステップによりブロック群からデジタルデータを読出す毎に、該ブロック群に対応の管理情報の読出動作を１回行なう。
【００６３】
したがって、データ領域読出ステップによりデータ領域から各ブロック群のデジタルデータが読出される毎に、システム領域読出ステップにより該ブロック群に対応の管理情報がシステム領域から１回だけ読出される。
【００６４】
それゆえに、再生するときには、データ領域の読出がブロック群単位で集中して行なわれて、この読出しにおけるシステム領域からの読出は１回に抑制されるので、再生時の記録媒体におけるシークタイムを短くできて効率よく再生できる。
【００６５】
また再生動作中に電力供給断があったとしても、システム領域の管理情報の読出時に電力供給が断たれる確率を低くできる。それゆえに、電力供給断があったとしても管理情報の抜けを防止しやすくなって、再生時において管理情報の抜けによる再生不可能な状態の発生を抑制できる。
【００６６】
上述の管理情報は好ましくは、対応のブロック群を特定するデータと当該ブロック群の先頭位置のデータブロックを指示するデータを含む。
【００６７】
したがって、管理情報として読出すべき情報は多くない。それゆえに、再生動作中における突然の電力供給断が、管理情報の読出時に発生する確率をより低くできるので、管理情報が読出されないために再生動作が不可能な状態となるのを抑制できる。
【００６８】
上述の１回の読出動作は、データ領域読出ステップによりブロック群からデジタルデータを再生開始するときに行なわれる。
【００６９】
したがって、システム領域からの管理情報の読出は、対応のデータブロック群からのデジタルデータの読出に先だって行なわれるから、動作中に電力供給が断たれるとしても、対応のデータブロック群のデータについての管理情報の抜けを確実に防止できる。その結果、再生時に、管理情報の抜けによる再生不可能状態の発生を確実に防止できる。
【００７０】
【発明の実施の形態】
以下この発明の実施の形態について図面を参照し説明する。ここでは、記録される情報は映像信号による画像データとしているが、画像データに並行して音声データが記録されるようにしてもよい。
【００７１】
図１には、この発明の実施の形態に係る記録再生装置の構成が示される。図１を参照して記録再生装置はＴＶ（テレビジョン）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録されて供給電力が断たれても記録内容を保持できるＨＤＤ（ハードディスクドライバ）５、ＨＤＤ５へのデジタルデータの書込および読出を制御する書込／読出制御部６、ＨＤＤ５から読出されたデジタルデータを入力してデコードしてデジタル信号を出力するデコーダ７、デコーダ７から出力されたデジタル信号を入力しアナログ信号に変換して出力するアナログ変換部８、アナログ変換部８から出力されたアナログ信号を外部の図示されない装置、たとえばＴＶ（Televisionの略）受像機などに出力するための出力部９を備える。
【００７２】
さらに、図１の記録再生装置は、チューナ２のチューニング動作、エンコーダ４のエンコード動作、デコーダ７のデコード動作および書込／読出制御部６の動作を制御するためのＣＰＵ（中央処理装置の略）１０、ＣＰＵ１０がこれらを制御するための情報（プログラム、データなど）を記憶するためのＲＯＭ（リードオンリメモリ）１１とＲＡＭ（ランダムアクセスメモリ）１２、および入力部１３を備える。
【００７３】
入力部１３は、ＨＤＤ５への情報の記録／再生に関する外部からの指示を入力するための各種スイッチ、ボタンなどからなるが、図示されないリモートコントローラからこれら指示を受信する機能を有していてもよい。
【００７４】
なおＨＤＤ５についての情報の書込（記録）／読出（再生）はＣＰＵ１０の制御の下に読出／書込制御ブロック６を介して行なわれる。
【００７５】
ＨＤＤ５のディスクは図２のように円盤状の記録媒体であるディスクの中心Ｃについて同心円上に斜線の連続した領域Ｅ１と領域Ｅ１を取囲むようにかつ中心Ｃについて同心円上に連続した領域Ｅ２が形成される。領域Ｅ２とＥ１は異なる領域である。
【００７６】
ディスク上に情報を記録／再生するときはディスクは中心Ｃを軸にして回転するので、ディスク半径に沿ってデータのシーク動作が行なわれる。したがって、本実施の形態では領域Ｅ１をアクセスするような半径Ｒに沿うシーク動作の回数を減らして、半径Ｒ１（＜Ｒ）による領域Ｅ２のシーク動作を集中的に行なうことにより、書込／読出に関する所要時間を短縮するよう動作する。
【００７７】
図３（Ａ）〜（Ｅ）には、図２のディスクにおけるデータのフォーマットが示される。図３（Ａ）を参照して、領域Ｅ１には領域Ｅ２に記録されるデータを一括して管理するための情報が記録されるシステムブロックＳＢを有し、領域Ｅ２には、複数の固定長のデータブロックＤＢｉ（ｉ＝１、２、３、…、ｎ）を有する。
【００７８】
図３（Ｂ）を参照して、システムブロックＳＢは、複数の管理情報Ｐｊ（ｊ＝１、２、３、…、ｍ）とマッピングテーブルＭＰＴを有する。管理情報Ｐｊは領域Ｅ２の複数のデータブロックＤＢｉにおいて記録される大量のデータを所定大きさの単位、たとえば異なる番組単位で分割した場合の、各番組を構成する１つ以上のデータブロックＤＢｊからなるブロック群に対応して設けられており、ブロック群を特定する、すなわち該ブロック群に記録された番組を特定するためのインデックスデータＩＤｊ（ｊ＝１、２、３、…、ｍ）と対応の番組のデータを構成している１つ以上のデータブロックＤＢｉのうち先頭（最初）のデータが記録されたデータブロックＤＢｉを領域Ｅ２において指示するための先頭ブロック情報ＨＥＤｊ（ｊ＝１、２、３、…、ｍ）を対応付けて有する。
【００７９】
図３（Ｃ）を参照してデータブロックＤＢｉは、該データブロックＤＢｉは前のデータ位置を示すデータ２１、次のデータ位置を示すデータ２２、開始時間を示すデータ２３、終了時間を示すデータ２４、実際にアンテナ１で受信した放送信号による番組の画像を示す画像データ２５およびインデックス時間データＩＴｋ（ｋ＝１、２、３、…、ｐ）およびオフセットデータＯＦｋ（ｋ＝１、２、３、…、ｐ）を含む。これらのデータ（情報）のうち画像データを除く情報は固定長であると想定する。
【００８０】
データブロックＤＢｉに対応の番組が複数のデータブロックＤＢｉで構成されている場合に番組の情報の記録順または再生順に従い複数のデータブロックＤＢｉがアクセスされることになる。データ２１は、このように順次アクセスされる複数のデータブロックＤＢｉのうち、当該データブロックＤＢｉの直前にアクセスされるデータブロックＤＢｉの領域Ｅ２における記録位置（アドレス）を示し、データ２２は、同様に、次位にアクセスさせるデータブロックＤＢｉの領域Ｅ２における記録位置（アドレス）を示す。直前または次位のデータブロックＤＢｉが存在しなければ、データ２１または２２は該当のデータブロックＤＢｉは存在しないことを示す。
【００８１】
データ２３と２４は、当該データブロックＤＢｉの画像データ２５についての記録の開始と終了の時間を示す。インデックス時間データＩＴｋは画像データ２５を構成している複数シーンのそれぞれを特定し、オフセットデータＯＦｋはこれら複数シーンのそれぞれの画像データが画像データ２５の先頭から何バイト目から開始されるかを示す。
【００８２】
図３（Ｄ）にはデータブロックＤＢｉの図３（Ｃ）とは異なる構成例が示される。図３（Ｄ）では、図３（Ｃ）とは異なり画像データ２５はデータブロックＤＢｉの先頭方向から記録されて、データ２１〜２４、可変長のインデックス時間データＩＴｋおよびオフセットデータＯＦｋはデータブロックＤＢｉの終端方向から順に記録される。
【００８３】
図３（Ｅ）には、図３（Ｂ）のマッピングテーブルＭＰＴの内容例が示される。マッピングテーブルＭＰＴには、領域Ｅ２の複数のデータブロックＤＢｉそれぞれについて新たなデータの書込が可能な領域、すなわち空きブロックであり未使用であるか使用であるかを示す使用情報ＵＦが対応して登録されている。
【００８４】
図４のフローチャートに従い、データブロックＤＢｉが図３（Ｃ）の構成を有している図１の装置の再生時動作を説明する。図４のフローチャートに従うプログラムは予めＲＯＭ１１に格納されていると想定する。
【００８５】
まず、ＨＤＤ５のディスクに予め記録された番組の情報のうち、所望する番組を指定して、該所望番組の情報の再生の指示が入力部１３を介して入力されるとＣＰＵ１０は、以下のように所望番組の再生を開始する。
【００８６】
まず、システムブロックＳＢをアクセスして指定された所望番組に対応のインデックスデータＩＤｊをＨＤＤ５のシステムブロックＳＢにおいて特定して、特定されたインデックスデータＩＤｊに対応の先頭ブロック情報ＨＥＤｊを検索する（ステップＳ（以下、単にＳとする）１）。そして、以下のようにデータブロックをアクセスする。
【００８７】
検索された先頭ブロック情報ＨＥＤｊにより指示される領域Ｅ２のデータブロックＤＢｉを特定して、特定したデータブロックＤＢｉのインデックス時間データＩＴｋを読込み（Ｓ２）、読込んだインデックス時間データＩＴｋに基づいて必要なデータがあるか否か判定する（Ｓ３）。
【００８８】
たとえば、入力部１３を介して再生を希望するシーンなどの特定シーンが指示されていた場合には、指示されたシーンに対応のインデックス時間データＩＴｋが読込んだインデックス時間データＩＴｋに含まれているか否か判定する。含まれていれば必要なデータがあると判定され、そうでなければ後述のＳ６の領域に移行する。
【００８９】
また、特定のシーンが指示されていなければ、必要なデータ有りと判定される。
【００９０】
Ｓ３の処理において、必要なデータ有りと判定されると（Ｓ３でＹＥＳ）、当該データブロックＤＢｉの画像データ２５の読出がなされる（Ｓ４）。
【００９１】
Ｓ４における画像データの読出は、Ｓ３で判定された必要なシーンのデータに該当のインデックス時間データＩＴｋに対応のオフセットデータＯＦｋに基づいて、画像データ２５の中から読出される。特にシーンが指定されていない場合は、すべての画像データ２５が読出される。
【００９２】
当該データブロックＤＢｉからの画像データの読出が終了するまで（Ｓ５でＹＥＳ）、画像データ２５の読出（Ｓ４）が繰返される。画像データ２５の読出の終了は、画像データ２５のサイズで判定したり、画像データ２５の中の図示されない終端符号に基づいて判定したり、０データの検出に応じて判定したり、番組の放送終了時間で判定したりする。
【００９３】
当該データブロックＤＢｉからの画像データの読出が終了すると（Ｓ５でＹＥＳ）、当該データブロックＤＢｉのデータ２２が読出されて、読出されたデータ２２に基づいて次位のデータブロックＤＢｉがあるか否か判定される（Ｓ６）。データ２２が次位のデータブロックＤＢｉが存在しないことを示せば（Ｓ６でＮＯ）、一連の再生処理を終了する。
【００９４】
データ２２が、次位のデータブロックＤＢｉの位置（アドレス）を示していれば（Ｓ６でＹＥＳ）、示された位置（アドレス）に基づいて領域Ｅ２の次位のデータブロックＤＢ（ｉ＋１）を検索して、検索したデータブロックＤＢ（ｉ＋１）のインデックス時間データＩＴｋを読込む（Ｓ７）。その後、ステップＳ３に戻り、以下、同様にして、当該データブロックＤＢ（ｉ＋１）から必要な画像データ２５の読出が行なわれる。
【００９５】
上述のように、ステップＳ３〜Ｓ７の処理が繰返されることにより、所望する番組を構成するデータブロックＤＢｉのそれぞれから画像データ２５が読出される。
【００９６】
読出された画像データ２５はデコーダ７、アナログ変換部８および出力部９を介して図示されないＴＶ受像機などに与えられるので、ＨＤＤ５から読出された画像データ２５はＴＶ受像機においてリアルタイムに画面表示される。
【００９７】
図４のフローチャートでは、画像データ２５の再生（読出）時には、Ｓ１において図２の領域Ｅ１のシステムブロックＳＢ内を一度アクセスするのみで、その後は領域Ｅ２内の実際の再生内容を構成するデータブロックＤＢｉのアクセスにに集中する。それゆえに、図２では半径Ｒに沿うシーク動作を１回した後は、半径Ｒ１（＜Ｒ）のシーク動作が集中して行なわれるから、トータルで再生時におけるシーク時間を短縮できる。その結果、速やかな再生が可能となる。
【００９８】
次に、図５のフローチャートに従い、データブロックＤＢｉが図３（Ｃ）の構成を有している図１の装置の録画時の動作について説明する。図５のフローチャートに従うプログラムは予めＲＯＭ１１に記録されていると想定する。
【００９９】
まず、所望番組を録画するために、ユーザは所望番組を放送しているチャンネルの情報と番組の放送時間（開始と終了）の情報などを入力部１３を介して入力する。
【０１００】
ＣＰＵ１０は入力された放送開始時間になったことを検知すると、以下のように録画動作を開始する。
【０１０１】
まず、ＣＰＵ１０はチューナ２を入力情報に基づいて所望番組を放送しているチャンネルの放送信号を抽出するように制御するので、アンテナ１、チューナ２、デジタル変換部３およびエンコーダ４を介して、放送されている所望番組のデータが導出される。
【０１０２】
ＣＰＵ１０は、ＨＤＤ５のシステムブロックＳＢのマッピングテーブルＭＰＴを検索して、使用情報ＵＦが“未使用”（空きブロック）を示すデータブロックＤＢｉを特定し、特定したブロックＤＢｉに対応の使用情報ＵＦを“使用”に更新する（Ｓ２０）。その後、システムブロックＳＢのインデックスデータＩＤｉと先頭ブロック情報ＨＥＤｉを記録する。具体的には、インデックスデータＩＤｉに所望番組を特定するデータを書込み、先頭ブロック情報ＨＥＤｉにＳ２０で特定したデータブロックＤＢｉを特定するデータを書込む（Ｓ２１）。
【０１０３】
次に、ＣＰＵ１０は、所望番組の開始時間をデータブロックＳＢｉのデータ２４に書込み、また直前に当該所望番組についての画像データ２５が記録されたデータブロックＤＢ（ｉ−１）のデータ２１が書込まれる（Ｓ２２）。番組の録画開始時には直前に画像データ２５が記録されたデータブロックＤＢ（ｉ−１）はまだ存在しないので、この場合にはデータ２１には何も書込まれないか空のデータ“ＮＵＬＬ”が書込まれる。次に所望番組について導出された画像データは当該データブロックＤＢｉに画像データ２５として記録されて（Ｓ２３）、録画が終了したか否かが、番組の放送終了時間になったか否か、または番組の放送終了のコードが受信されて記録されたか否かなどに基づいて判定される（Ｓ２４）。
【０１０４】
録画終了と判定されると（Ｓ２４でＹＥＳ）、一連の録画動作は終了するが、そうでなければ（Ｓ２４でＮＯ）、当該データブロックＤＢｉについての画像データ２５の書込を終了するか否かが判定される（Ｓ２５）。たとえば、データブロックＤＢｉの終端まで画像データ２５を書込み、これ以上、画像データを当該データブロックＤＢｉに書込できない状態となれば、書込終了と判定し、そうでなければ書込終了でないと判定する。
【０１０５】
書込終了と判定されない間はＳ２３〜Ｓ２５の一連の処理が繰返されるが、書込終了と判定されると当該データブロックＤＢｉの画像データ２５の終端に図示されない終端の符号が記録されるとともに、データ２４に終了時間が書込まれる（Ｓ２６）。その後、次位のデータブロックＤＢ（ｉ＋１）に画像データ２５を記録するためにシステムブロックＳＢのマッピングテーブルＭＰＴが検索されて、使用情報ＵＦが“未使用”を示す空きのデータブロックＤＢ（ｉ＋１）が特定されて、特定されたデータブロックＤＢ（ｉ＋１）の使用情報ＵＦは“使用”に更新される（Ｓ２７）。
【０１０６】
そして、先のデータブロックＤＢｉのデータ２２に、Ｓ２７で特定された次位のデータブロックＤＢ（ｉ＋１）を特定するデータが書込まれる（Ｓ２８）。
【０１０７】
そして特定された次位のデータブロックＤＢ（ｉ＋１）について、データ２３に画像データ録画の開始時間とデータ２１に先のデータブロックＤＢｉを特定するデータがそれぞれ書込まれる（Ｓ２２）。その後、次位のデータブロックＤＢ（ｉ＋１）について同様に画像データ２５の書込が行なわれる（Ｓ２３〜Ｓ２６）。
【０１０８】
以上のように、録画動作時においては、空き（未使用）のデータブロックＤＢｉを特定するには、マッピングテーブルＭＰＴを検索するだけでよいから次に記録すべきデータブロックＤＢｉを速やかに判定できる。これにより速やかな録画動作が可能となる。
【０１０９】
また、記録すべき内容はデータブロックＤＢｉ毎で完結させているので、書込み時に電力供給が断たれても、そのときに記録中のデータブロックは完結しないが、他のブロックは正常に完結するので、システム全体のデータの整合を保持しやすい。
【０１１０】
また、番組を構成する１つ以上のデータブロックＤＢｉへの記録動作が行なわれるときは、当該記録動作が行なわれるに先だつＳ２１において、対応の管理情報Ｐｊを記録するために１回だけシステムブロックＳＢがアクセスされる。したがって、図２の半径Ｒ１に沿う書込み動作を抑制して半径Ｒ１に沿う書込み動作が集中的に行なわれて、記録を速やかに行なうことができる。
【０１１１】
記録動作が行なわれるに先だつＳ２１において対応の管理情報Ｐｊを記録するので、その後のデータブロックＤＢｉへの記録動作期間（Ｓ２２〜Ｓ２７の繰返し処理）に電力供給が断たれても、既に管理情報Ｐｊは記録されているので管理情報Ｐｊを参照した再生動作は可能である。また、記録される管理情報ＰｊはインデックスデータＩＤｊおよび先頭ブロック情報ＨＥＤｊと少ないので、管理情報Ｐｊの記録中に電源供給が断たれる確率を低くできて管理情報Ｐｊの欠落を防止できる。その結果、管理情報Ｐｊを参照した再生動作を保障できる。
【０１１２】
なお、図５では記録動作が行なわれるに先だつＳ２１において対応の管理情報Ｐｊを記録したが、録画終了後（Ｓ２４でＹＥＳ）に記録するようにしてもよい。
【０１１３】
図５に示された手順では、録画動作が開始されるとインデックスデータＩＤｊと先頭ブロック情報ＨＥＤｊをＨＤＤ５のシステムブロックＳＢに書込むようにした（Ｓ２１）。これにより、その後、何らかの原因で電源断があっても、これら情報が消去されることはないので、その後の再生も正常に行うことができる。
【０１１４】
上述したインデックスデータＩＤｊと先頭ブロック情報ＨＥＤｊの記録は次のようにしてもよい。つまり、録画動作が開始されると、インデックスデータＩＤｊと先頭ブロック情報ＨＥＤｊを一旦、ＲＡＭ１２に書込んで、録画終了後に、一括してＲＡＭ１２からＨＤＤ５のシステムブロックＳＢに書込むようにしてもよい。これにより、図２の半径Ｒに沿うシステムブロックＳＢへのシーク動作が削減されるから、その分録画動作を速やかに行なうことができる。
【０１１５】
また、ここでは、録画時にマッピングテーブルＭＰＴをアクセス（読出／書込）するとしているが、次のようにしてもよい。
【０１１６】
つまり、マッピングテーブルＭＰＴをＲＡＭ１２に置いておき、録画動作中はＲＡＭ１２のマッピングテーブルＭＰＴをアクセスし、録画終了時などの装置が動作を停止するときには、ＲＡＭ１２のマッピングテーブルＭＰＴの内容をＨＤＤ５のシステムブロックＳＢのマッピングテーブルＭＰＴに書込むようにしてもよい。これによりＨＤＤ５自体へのアクセス量が減少するから、より速やかな録画動作が可能となる。
【０１１７】
上述したようにしてマッピングテーブルＭＰＴをＲＡＭ１２に置いた場合には、突然の電源断が生じると、ＲＡＭ１２のマッピングテーブルＭＰＴの内容は消去されるけれども、その内容は電源復帰後に、録画動作中にシステムブロックＳＢに書込まれたインデックスデータＩＤｊと先頭ブロック情報ＨＥＤｊとに基づいて復元することができる。
【０１１８】
図３（Ｃ）のデータ構造においてはインデックス時間データＩＴｋおよびオフセットデータＯＦｋは固定長としていたが、可変長としてもよい。その場合には図３（Ｄ）のようにデータブロックＤＢｉの先頭方向から画像データ２５が記録開始されて、終端方向からはデータ２４、２３、２２および２１、可変長のオフセットデータＯＦｋおよびインデックス時間データＩＴｋが当該データブロックの終端から記録開始されるようにする。このようにすることで、インデックス時間データＩＴｋおよびオフセットデータＯＦｋが可変長であっても不要な空き領域を生じさせることなく、データブロックＤＢｉの記録領域を効率的に使って画像データ２５を含む必要データを記録できる。
【０１１９】
このように、本実施の形態によれば画像を録画再生する装置において効率よくＨＤＤ５の記録デバイスにアクセスすることができるファイル構造が提供される。
【０１２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１２１】
【発明の効果】
この発明によれば、データ領域の各ブロック群にデジタルデータが記録されるごとに、該ブロック群に対応の管理情報のシステム領域への記録動作が１回行なわれる。それゆえに、デジタルデータの記録時には、データ領域の記録がブロック群単位で集中して行なわれて、システム領域への記録はブロック群ごとに１回に抑制されるので記録時の記録媒体におけるシークタイムを短くできて、効率よく記録できる。
【０１２２】
また、記録動作中に電力供給が断たれたとしても、システム領域の管理情報の記録時に電力供給が断たれる確率を低くできる。それゆえに、電力供給断があったとしても、管理情報の抜けを防止しやすくなって、再生時においては管理情報の抜けによる再生不可能な状態の発生を抑制できる。
【０１２３】
またこの発明によれば、データ領域から各ブロック群のデジタルデータが読出される毎に、該ブロック群に対応の管理情報がシステム領域から１回だけ読出される。それゆえに、再生するときには、データ領域の読出がブロック群単位で集中して行なわれて、この読出しにおけるシステム領域からの読出は１回に抑制されるので、再生時の記録媒体におけるシークタイムを短くできて効率よく再生できる。
【０１２４】
また再生動作中に電力供給断があったとしても、システム領域の管理情報の読出時に電力供給が断たれる確率を低くできる。それゆえに、電力供給断があったとしても管理情報の抜けを防止しやすくなって、再生時において管理情報の抜けによる再生不可能な状態の発生を抑制できる。
【図面の簡単な説明】
【図１】この発明の実施の形態に係る記録再生装置の構成図である。
【図２】この発明の実施の形態に係るディスクの記録領域を示す図である。
【図３】（Ａ）〜（Ｅ）には、図２のディスクにおけるデータのフォーマットを示す図である。
【図４】図１の装置の再生時の動作を示すフローチャートである。
【図５】図１の装置の記録時の動作を示すフローチャートである。
【符号の説明】
５  ＨＤＤ、６  書込／読出制御部、１０  ＣＰＵ、Ｅ１,Ｅ２  領域、ＳＢシステムブロック、ＤＢｉ  データブロック、ＩＤｊ  インデックスデータ、ＨＥＤｊ  先頭ブロック情報、２５  画像データ、ＭＰＴ  マッピングテーブル、ＵＦ  使用情報。
【図１】
2004192764.tif 000003
【図２】
2004192764.tif 000004
【図３】
2004192764.tif 000005
【図４】
2004192764.tif 000006
【図５】
2004192764.tif 000007